(57)【特許請求の範囲】
【請求項１】
拡散スペクトル通信システムにおいてオーファン条件を軽減する方法であって、前記オーファン条件は、基地局から遠隔ユニットへのダウンリンク信号が、該遠隔ユニットが接続を要求するのに十分な信号品質の信号ではないが、前記基地局が前記遠隔ユニットから受信する対応するアップリンク信号は、逆方向チャネル・ハンドオフにとって十分な信号品質の信号である場合に存在し、前記方法は：
前記オーファン条件が起こる可能性があるか否かを判定する段階；
前記判定に応答して、能動リストにより多くの基地局を追加することにより、オーファン条件を軽減する段階；
によって構成されることを特徴とする方法。
【請求項２】
前記判定段階が：
前記遠隔ユニットの位置を判定する段階；
前記位置において別の遠隔ユニットにより以前にオーファン条件が起こったか否かを判定する段階；
によって構成されることを特徴とする請求項１記載の方法。
【請求項３】
前記判定段階が：
サービス提供基地局および近隣基地局に関して負荷レベルおよびノイズ・レベルを獲得する段階；
前記近隣基地局が前記サービス提供基地局よりも低い受信ノイズ・レベルを有すると判定する段階；
によって構成されることを特徴とする請求項１記載の方法。
【請求項４】
前記判定段階が、前記遠隔ユニットが近隣セル付近にあるか否かを判定する段階によって構成されることを特徴とする請求項１記載の方法。
【請求項５】
前記判定段階が、前記遠隔ユニットの呼品質が閾値レベルより低下しつつあるか否かを判定する段階によって構成されることを特徴とする請求項１記載の方法。
【請求項６】
前記能動リストにより多くの基地局を追加する前記段階が：
Ｔ＿ＡＤＤを調整する段階；
前記調整段階に応答して、前記能動リストにより多くの基地局を追加する段階；
によって構成されることを特徴とする請求項１記載の方法。
【請求項７】
前記能動リストにより多くの基地局を追加する前記段階が：
Ｔ＿ＣＯＭＰを調整する段階；
前記調整段階に応答して、前記能動リストにより多くの基地局を追加する段階；
によって構成されることを特徴とする請求項１記載の方法。
【請求項８】
前記能動リストにより多くの基地局を追加する前記段階が：
基地局が近隣基地局であるか否かを判定する段階；
前記近隣基地局において、前記遠隔ユニットの逆方向チャネルを測定する段階；
前記測定段階に基づき、前記能動リストに前記近隣基地局を追加する段階；
によって構成されることを特徴とする請求項１記載の方法。
【請求項９】
通信システムにおいてオーファン条件を軽減する装置であって、前記オーファン条件は、基地局から遠隔ユニットへのダウンリンク信号が、該遠隔ユニットが接続を要求するのに十分な信号品質の信号ではないが、前記基地局が前記遠隔ユニットから受信する対応するアップリンク信号は、逆方向チャネル・ハンドオフにとって十分な信号品質の信号である場合に存在し、前記装置は：
遠隔ユニットが過去にオーファンになったことがある位置を出力するオーファン履歴データ格納装置；
遠隔ユニットの位置を出力する位置発見装置；
オーファン条件を軽減するために、入力として、前記遠隔ユニットの位置と前記遠隔ユニットが過去にオーファンになったことのある位置とを受け取り、該入力に基づいて、前記遠隔ユニットにオーファン条件が起こる可能性があるか否かを判定し、該判定に応答して、能動リストにより多くの基地局を追加するための指標を出力するプロセッサ；
によって構成されることを特徴とする装置。
【発明の詳細な説明】
技術分野
本発明は、一般にワイヤレス通信システムに関し、特に拡散スペクトル通信システムにおけるオーファン（孤立）条件の軽減に関する。
発明の背景
ワイヤレス通信システムは、（セルラ加入者などの）遠隔ユニットが通信システム内の基地局間でハンドオフされるハンドオフ法を採用することが知られる。特に、遠隔ユニットがサービスを提供する基地局のカバレージ・エリアの周縁部に移動すると、サービス提供基地局と遠隔ユニットとの間の経路損失が増大して、別の基地局のほうが遠隔ユニットに対してより良いサービスを提供することができる状況になることがある。電気工業会／電気通信工業会暫定規準95A（TIA/EIA/IS-95A: Electronic Industry Association/Telecommunications Industry Association Interim Standard 95A）に記述されるように、ハンドオフを採用するこのような通信システムの１つに、符号分割多重接続（CDMA: Code Division Multiple Access）通信システムがある。（TIA/EIAの連絡先は：2001 Pennsylvania Ave. NW Washington DC 20006）。CDMA通信システムにおけるハンドオフは、いくつかの基地局（能動集合と呼ばれる）と同時に通信を行い、能動集合内にない基地局が能動集合内の基地局（能動基地局）よりも強い信号を持つと検出される場合に、能動基地局を置き換えることにより実現される。
特に、TIA/EIA/IS-95Aのセクション6.6.6は、遠隔ユニットが能動集合（すなわち遠隔ユニットに割り当てられる順方向トラフィック・チャネルに関わる基地局）と、候補集合（能動集合内にはないが、遠隔ユニットにより受信される基地局）とを監視することを求め、能動集合内にない基地局のパイロット信号強度が予め設定された閾値（T_ADD）よりも高いことが発見されるといつでも、遠隔ユニットは能動集合内の基地局（群）に対してパイロット強度測定メッセージ（PSMM: Pilot Strength Measurement Message）を送付する。能動集合内の基地局（群）は、候補パイロットに関わる順方向トラフィック・チャネルを遠隔ユニットに割り当て、遠隔ユニットに対して、候補基地局を能動集合内に入れ、候補基地局に対するハンドオフを実行するよう指示する。また、非能動集合候補基地局に関連するパイロット強度が能動集合内の基地局に関連するパイロット強度を、予め設定された閾値分だけ超える（T_COMP*0.5dB）場合は、遠隔ユニットは能動集合内の基地局（群）に対してPSMMを送付する。次に能動集合内の基地局（群）は、候補パイロットに関連する順方向トラフィック・チャネルを遠隔ユニットに割り当て、遠隔ユニットが候補基地局を能動集合に入れて、ハンドオフを実行するよう指示する。
セル負荷の不均衡，非相互伝播，および／または他の環境条件により起こる遠隔ユニット受信機と基地局受信機との間の信号品質の不均衡のために、遠隔ユニットが受認可能な基地局とのハンドオフに入らないことがときどき起こる。これは、基地局からのダウンリンク信号が、充分に強くないので遠隔ユニットが接続を要求する（PSMMを送付する）ことができないためである。それでも、基地局は、逆方向のチャネル・ハンドオフに入るのに充分な強度の信号を遠隔ユニットから受信する。言い換えると、基地局は遠隔ユニットから強力なアップリンク信号を受信するが、同時に遠隔ユニットにより受信される対応するダウンリンク信号が能動基地局被受信信号ほど強くない。この、一般に「オーファン条件（orphan condition）」と呼ばれる状況のために、能動基地局に対する逆方向のチャネル品質があまりに低下すると、遠隔ユニットが一方通行のハンドオフに入り、呼損失を招くことがある。言い換えると、アップリンク通信に関して利用可能な、許容できる基地局（オーファン基地局）があるにも関わらず、遠隔ユニットが欠落する（オーファン遠隔ユニットになる）ことがある。かくして、通信システムにおいてオーファン条件を軽減するハンドオフのための方法および装置が必要である。
【図面の簡単な説明】
第１図は、本発明の好適な実施例による通信システムを図示する。
第２図は、本発明の好適な実施例による第１図の中央集中基地局コントローラを図示する。
第３図は、本発明の好適な実施例による第２図の中央集中基地局コントローラの動作を示す流れ図である。
第４図は、第３図に図示される遠隔ユニット環境パラメータを収集するために必要とされる段階を示す流れ図である。
第５図は、遠隔ユニットが、第３図に図示されるようにオーファンになる可能性があるか否かを判断するために必要な段階を示す流れ図である。
第６図は、第３図に示されるT_ADD，T_COMPおよび能動リストを調整するために必要とされる段階を示す流れ図である。
第７図は、本発明の代替の実施例による第2図の中央集中基地局コントローラの動作を示す流れ図である。
第８図は、本発明の代替の実施例により、遠隔ユニットがオーファンになる可能性があるか否かを判断するために必要な段階を示す流れ図である。
第９図は、本発明の代替の実施例により、能動基地局リストを一掃するために必要な段階を示す流れ図である。
図面の詳細な説明
概して、本発明は、遠隔ユニットがオーファンになる可能性のある場合を判断し、遠隔ユニットの動作パラメータを調整して、CBSCが遠隔ユニットの能動集合に追加の基地局を強制的に追加するようにすることにより、オーファン条件を軽減する。詳しくは、遠隔ユニットがオーファンになる可能性があると判断されると、T_ADDとT_COMPとが調整され、それによって遠隔ユニットはその能動集合に追加の基地局を追加することを強いられる。遠隔ユニットが通信する基地局の数が増えることにより、遠隔ユニットがオーファンになる確率が大幅に軽減される。
本発明は、拡散スペクトル通信システムにおいてオーファン条件を軽減する方法を実施する。本方法は、遠隔ユニットにより送信される信号を受信する段階,基地局において被送信信号の信号品質を測定する段階および遠隔ユニットが受認可能な基地局にハンドオフされない場合を判断する段階によって構成される。次に、この判断に応答して、より多くの基地局が能動リストに追加される。
本発明の代替実施例は、セルラ通信システム内でオーファン条件を軽減する方法を実施する。本方法は、遠隔ユニットがオーファンになる確率が高い場合を判断し、その判断に基づいてT_ADDおよびT_COMPを調整する段階によって構成される。T_ADDおよびT_COMPの調整により、遠隔ユニットは他の基地局と強制的に通信し、オーファン条件が軽減される。
本発明の代替実施例は、通信システムにおいてオーファン条件を軽減する装置を企図する。本装置は、遠隔ユニットがかつてオーファンになった場所を出力するオーファン履歴データ格納装置と、遠隔ユニットの位置を出力する位置発見装置と、遠隔ユニットの位置と遠隔ユニットがかつてオーファンになった位置とを入力として有するプロセッサとによって構成される。
本発明の最終実施例は、オーファン条件を軽減する方法を実施する。本方法は、遠隔ユニットがオーファンになる可能性がある場合を判断する段階と、その判断に基づき候補基地局を選択する段階とによって構成される。次に、この候補基地局を検査して、候補基地局との通信によりオーファン条件が緩和されるか否かを判断する。最後に、この検査に基づいて、候補基地局との通信が開設される。
第１図は、本発明の好適な実施例による通信システム１００を図示する。本発明の好適な実施例においては、通信システム１００は、符号分割多重接続（CDMA: Code Division Multiple Access）システム・プロトコルを利用するが、代替の実施例においては、通信システム１００は他のアナログまたはデジタルのセルラ通信システム・プロトコルを利用することもできる。このプロトコルとしては、狭帯域AMPS（NAMPS: Narrowband Advanced Mobile Phone Service）プロトコル，APMS（Advanced Mobile Phone Service）プロトコル,汎ヨーロッパ・デジタル化移動体通信システム（GSM: Global System for Mobile Communications）プロトコル，パーソナル・デジタル・セルラ（PDC: Personal Digital Cellular）プロトコル，または合衆国デジタル・セルラ（USDC: United States Digital Cellular）プロトコルなどがある。通信システム１００は、基地局１０１，基地局１０２，遠隔ユニット１１３，中央集中基地局コントローラ（CBSC: Centralized Base Station Controller）１０３および移動交換センター（MSC: Mobile Switching Center）１０４を具備する。本発明の好適な実施例においては、基地局１０１，１０２は、モトローラ社製SC9600基地局であることが好ましく、MSC１０４はモトローラ社製EMX2500MSCであることが好ましく、CBSC１０３はモトローラ社製SG1128BF CBSC部品によって構成されることが好ましい。図示される如く、遠隔ユニット１１３は、アップリンク通信信号１１９を介して基地局１０１，１０２と通信を行い、基地局１０１，１０２は、ダウンリンク通信信号１１６を介して遠隔ユニット１１３と通信する。本発明の好適な実施例においては、基地局１０１，１０２はCBSC１０３と適切に結合され、CBSCはMSC１０４と適切に結合される。
通信システム１００の動作は次のように行われる：遠隔ユニット１１３が通信システム１００にアクセスすると、遠隔ユニット１１３の環境パラメータがCBSC１０３により決定される。（環境パラメータ決定の詳細は、第４図に関して後述する。）遠隔ユニット１１３の環境パラメータが決定されると、CBSC１０３は、遠隔ユニット１１３がオーファンになる確率が高いか否かを判断する。（遠隔ユニットがオーファンになる確率が高いか否かを判断する過程の詳細は第５図に関して後述する。）CBSC１０３が、オーファン条件が起こりやすいと判断すると、遠隔ユニット１１３の能動リストにより多くの基地局を追加しようとする試みがなされる。本発明の好適な実施例においては、これはT_ADDおよびT_COMPを調整することにより実行される。詳しくは、T_ADDは、−１４dBの公称値から−１９dBまでの最低値まで一定量ずつ調整され、T_COMPは＋３dBから０dBの最低値まで一定量ずつ調整される。（T_ADDおよびT_COMPの調整の詳細は第６図に関して後述する。）
上述の如く、非能動集合基地局パイロットの強度がT_ADDよりも高いことが分かると、あるいは候補集合パイロットの強度がT_COMP＊０．５dBだけ能動集合パイロットの強度を超えることが分かると、PSMMが基地局に送付され、基地局はそのパイロットに関連する順方向トラフィック・チャネルを遠隔ユニット１１３に割り当て、遠隔ユニット１１３が非能動集合基地局にハンドオフを実行することを指示する。かくして、T_ADDおよびT_COMPを小さくすることにより、遠隔ユニット１１３は、追加の基地局が遠隔ユニット１１３の能動集合に追加される可能性のある状況に強制的に置かれる。遠隔ユニット１１３と通信する基地局の数を増やすと、遠隔ユニット１１３がオーファンになる確率が大幅に下がる。
第２図は、本発明の好適な実施例による第１図のCBSC１０３を示す。CBSC１０３は、プロセッサ２１３，移動システム呼出コントローラ（MSCC: mobile system call controller）２２３，比較器および選択器２２５，位置発見装置２１１および検知受信機プログラマおよびコントローラ２２７によって構成される。図示される如く、CBSC１０３は、呼出リストおよび呼出状態格納装置２０１，セル負荷およびノイズ・レベル情報格納装置２０３，地域データ格納装置２０７，オーファン履歴データ格納装置２０９，基地局リスト格納装置２１９，PSMM格納装置２１７，システム設定格納装置２２９および基地局検知受信機測定格納装置２２１も具備する。第２図に示されるように、呼出リストおよび呼出状態格納装置２０１，セル負荷およびノイズ・レベル情報格納装置２０３，地域データ格納装置２０７，オーファン履歴データ格納装置２０９および位置発見装置２１１は、プロセッサ２１３に適切に結合される。呼出リストおよび呼出状態格納装置２０１，基地局リスト格納装置２１９およびシステム設定格納装置２２９は、MSCC２２３に適切に結合される。基地局リスト格納装置２１９は、比較器および選択器２２５にも適切に結合される。基地局検知受信機測定格納装置２２１とPSMM格納装置２１７は、比較器および選択器２２５に適切に結合される。最後に、プロセッサ２１３，MSCC２２３，比較器および選択器２２５および検知受信機プログラムおよびコントローラ２２７は、互いに適切に結合され、プロセッサ２１３，MSCC２２３および検知受信機プログラマおよびコントローラ２２７は、適切な基地局に結合される。本発明の好適な実施例においては、MSCC２２３は、モトローラ社製モデル#SG1128BFによって構成され、オーファン履歴データ格納装置２０９は遠隔ユニットがかつてオーファンになったことのある位置によって構成される。さらにプロセッサ２１３と比較器および選択器２２５は、PowerPC604または同等のプロセッサである。
第３図は、本発明の好適な実施例による第２図のCBSC１０３の動作を示す流れ図である。論理の流れは段階３０１で始まり、ここで遠隔ユニット１１３が呼を発する（呼は地上回線発信源から発することもある）。段階３０５において、MSCC２２３が遠隔ユニットの識別番号を呼出リストおよび呼出状態格納装置２０１に格納することにより、遠隔ユニット１１３を呼出リストに追加する。次に段階３１０で、遠隔ユニット１１３の状態に関して環境パラメータが収集される。（環境パラメータ収集の詳細は、第４図に関して後述する。）次に段階３１５において、プロセッサ２１３によりオーファン条件が起こる可能性があるか否かが判断され、起こる可能性がない場合は論理の流れは段階３２０に続く。（オーファン条件が起こる可能性があるか否かを判断する過程の詳細は第５図に関して後述する。）段階３１５において、プロセッサ２１３がオーファン条件が起こる可能性があると判断すると、段階３２５においてMSCCが「オーファン・フラッグ」がセットされたか否かを判断し、セットされた場合は論理の流れは段階３６０に続く。段階３２５においてオーファン・フラッグがセットされないと判断されると、段階３６５においてMSCC２２３はオーファン・フラッグを肯定状態にセットする。本発明の好適な実施例においては、MSCC２２３は、呼出リストおよび呼出状態格納装置２０１内にあるオーファン条件フィールドにバイナリ「１」を格納することにより、これを実行する。
続いて、段階３６０において、T_ADDおよびT_COMPがそれぞれ−１９ｄＢおよび０dBの最小値まで動的に調整される。本発明の好適な実施例においては、T_ADDは−１９dBの最小値になるまで１dBずつ定量的に削減される。同様に、T_COMPは０dBの最小値になるまで１dBずつ定量的に削減される。上記の如く、T_ADDおよびT_COMPを小さくすることにより、遠隔ユニット１１３は、より多くの基地局が遠隔ユニット１１３の能動集合に追加される可能性のある状況に強制的に置かれる。さらに、段階３６０において遠隔ユニット１１３の能動リストが調整される。本発明の好適な実施例においては、これは、MSCC２２３が、基地局が能動リストに追加された場合を判定し、基地局リスト格納装置２１９内の能動リストに基地局を格納することにより実行される。次に段階３６３において、遠隔ユニット１１３は充分なフレーム誤差比（FER: Frame Error Rate）（好適な実施例では１％）に電力制御され、論理の流れは段階３３５に続く。本発明の好適な実施例においては、遠隔ユニット１１３の電力制御は、TIA/EIA/IS-95Aセクション６．１．２．３に記述される如く実行される。
段階３２０に戻り、オーファン・フラッグがセットされた場合は、T_ADDおよびT_COMPは標準値にリセットされ、オーファン・フラッグは「０」にリセットされて、オーファン基地局をオーファン状態から削除することにより（段階３３０）、能動リストが一掃され、論理の流れは段階３３５に続く。本発明の好適な実施例においては、オーファン基地局信号が遠隔ユニット１１３が利用できる程の充分な強度を持った場合は、オーファン基地局は能動集合に追加されるか、あるいはその中に留まることになる。オーファン基地局が遠隔ユニット１１３の受信においてもはや用いられない場合は、オーファン基地局は能動集合から削除される。段階３３５において、MSCC２２３は遠隔ユニット１１３が呼を終了したか否かを判断し、終了していない場合は論理の流れは段階３１０に戻る。しかし、段階３３５において、遠隔ユニット１１３が呼を終了したと判断すると、論理の流れは段階３４０に進み、ここでMSCC２２３が呼出状況記録にアクセスし、オーファン・フラッグをクリアし、T_ADDおよびT_COMPをリセットする。次に段階３４５において、MSCC２２３は呼出リストおよび呼出状態格納装置２０１から遠隔ユニット１１３を削除し、基地局リスト格納装置２１９からすべての基地局を削除して、論理の流れは段階３５０で終了する。
第４図は、第３図の段階３１０において上述された遠隔ユニットの環境パラメータを収集するために必要な段階を示す流れ図である。論理の流れ（第３図の段階３０５から始まる）は、段階４０３で開始され、ここでMSCC２２３により、呼出リストおよび呼出状態格納装置２０１から能動基地局のリストが獲得される。獲得されると、各能動基地局の識別子が基地局リスト格納装置２１９に格納され、サービス提供基地局として標識される。次に段階４０５において、遠隔ユニット１１３の位置と範囲とが獲得される。本発明の好適な実施例においては、これは位置発見装置２１１により実行される。詳しくは、位置発見装置２１１は、Ghosh他による米国特許第５，５０８，７０８号「Method and Apparatus for Location Finding in a CDMA System」に記述される技術を利用する。これは本明細書に参考文献として含まれる。次に段階４０７において、遠隔ユニット１１３の速度と方向とが判定される。位置発見装置２１１は、米国特許第（出願番号０８／６１６，７９７）号に記述される技術を利用して、遠隔ユニット１１３の速度を決定する。本発明の好適な実施例においては、遠隔ユニット１１３の方向は、１秒間だけ隔てられた異なる点において得られた２つの異なる位置測定値をとることにより決定される。段階４０９において、MSCC２２３は、システム設定格納装置２２９にアクセスして、システム基地局の地理的座標を求め、その座量が遠隔ユニット１１３を囲むか、あるいはアップリンク・チャネル通信を改善するために望ましい場所に位置する基地局を選択することにより、近隣基地局を決定する。次にMSCC２２３は、基地局リスト格納装置２１９に近隣基地局を格納し、それらを近隣基地局として標識を付ける。次に段階４１１において、サービスを提供する近隣基地局の各々について負荷レベルとノイズ・レベルとを、セル負荷およびノイズ・レベル情報格納装置２０３からプロセッサ２１３により獲得する。本発明の好適な実施例においては、この情報は、呼出リストおよび呼出状態格納装置２０１からの情報を処理し、適切な基地局から信号強度情報を取り出し、それを格納することにより得られる。段階４１３において、プロセッサ２１３が能動基地局から情報を取り出すことにより、逆方向チャネル・フレーム誤差比が決定される。段階４１５において、プロセッサ２１３が能動基地局または遠隔装置からの要求電力状況のいずれかから、電力設定命令情報を取り出すことにより、遠隔ユニット１１３の送信電力が決定され、最後に段階４１７で、プロセッサ２１３により、基地局のEb/Noおよび目標のEb/Noが能動基地局から決定される。論理の流れは第３図の段階３１５に続き、ここで、獲得された環境パラメータが分析され、オーファン条件が起こる可能性があるか否かが判定される。
第５図は、第３図の段階３１５に上述されたように、遠隔ユニット１１３がオーファンになる可能性があるか否かを判断するために必要な段階を示す流れ図である。本発明の好適な実施例においては、第３図の段階３１０から得られた環境パラメータを利用して、遠隔ユニット１１３がオーファンになる確率を判断する。論理の流れは、段階３１０（第３図）から始まる。段階５０１において、移動システム呼出コントローラ２２３により、（呼出リストおよび呼出状態格納装置２０１にアクセスすることによって）遠隔ユニット１１３がオーファン基地局以外の基地局とのソフト・ハンドオフにあるか否かが判定され、論理の流れは段階５０１に進んで、そこでオーファン・フラッグがセットされたか否かが判定される。段階５０２において、オーファン・フラッグがセットされたと判断されると、論理の流れは段階５０３に進み、そうでない場合は論理の流れは段階３２０に進む。段階５０１において、遠隔ユニットがソフト・ハンドオフ状態にないと判断されると、論理の流れは段階５０３に進み、そこでプロセッサ２１３により（オーファン履歴データ格納装置２０９にアクセスすることにより）、この位置で以前にいずれかの遠隔ユニットによりオーファン条件が起こったか否かが判断される。詳しくは、プロセッサ２１３は（第４図の段階４０５で判断された）遠隔ユニットの位置または範囲を利用して、この位置をオーファン履歴データ格納装置２０９に格納されるすべての位置と比較する。遠隔ユニットの位置または範囲がオーファン履歴データ格納装置２０９に格納される領域に近い場合は、オーファン条件は起こる可能性があり、論理の流れは段階３２５（第３図）に続く。そうでない場合は、論理の流れは段階５０５に続く。
段階５０５において、プロセッサ２１３は、遠隔ユニット１１３が低ノイズまたは高負荷基地局に近いか否かを判断する。オーファン条件が起こる可能性のある状況においては、遠隔ユニット１１３の送信は近隣基地局により受信されることに留意されたい。しかし上記の理由から遠隔ユニット１１３は、能動集合にその基地局を追加することはできない。プロセッサ２１３は、サービス提供基地局および近隣基地局に関する負荷レベルおよびノイズ・レベルを獲得すること（第４図の段階４１１）により、この状況がいつ起こるかを判断する（段階５０５）。段階５０５において、サービス提供基地局が近隣基地局よりも高い送信負荷を有すること、あるいは近隣基地局のほうが受信ノイズ・レベルが低いと判断すると、オーファン条件が起こる可能性があり、論理の流れは段階３２５（第３図）に続く。そうでない場合は、論理の流れは段階５０７に続く。
段階５０７において、プロセッサ２１３は（位置発見装置２１１に格納される情報を取り出すことにより）、遠隔ユニット１１３が近隣セルに近いか、あるいはセル境界に近いか否かを判断する。たとえば、遠隔ユニット１１３の範囲がセル境界を超えるか、あるいは高負荷基地局付近に位置することもある。プロセッサ２１３が、遠隔ユニットがセル境界付近にあると判断すると、オーファン条件が起こる可能性があり、論理の流れは段階３２５（第３図）に続く。そうでない場合は、論理の流れは段階５０９に続く。
段階５０９において、プロセッサ２１３は（能動基地局から情報を取り出すことにより）、遠隔ユニット１１３の呼品質が閾値レベルより下がりつつあるか否かを判断する。たとえば、遠隔ユニット１１３は、呼がサービス提供基地局により失われる危険のあるレベルまで低下する状況にあるかもしれない。通常（非オーファン状況では）、このような呼はすでにソフト・ハンドオフ状態にあり、ハンドオフは他の基地局に対して起こるが、この状況ではソフト・ハンドオフ条件は存在せず、オーファン状況がありうることを示す。本発明の好適な実施例においては、MSCC２３３は、アップリンク・チャネルが（平均して）目標のEb/Noより低いEb/No値を有するか否かを判断し、そうである場合はオーファン条件が起こる可能性があり、論理の流れは段階３２５（第３図）に進む。そうでない場合は、論理の流れは段階３２０（第３図）に進む。本発明の代替の実施例においては、プロセッサ２１３が能動基地局トラフィック・チャネル送信電力および移動局送信電力を取り出し、それを平衡に関して比較することにより判定がなされる。不均衡の説明がつかない（ある信号が他の信号より極めて強い）場合は、オーファン条件が存在しやすく、論理の流れは段階３２５（第３図）に進む。そうでない場合は、論理の流れは段階３２０（第３図）に進む。
第６図は、第３図の段階３６０において上述されたT_ADD，T_COMPおよび能動リストを調整するために必要な段階を示す流れ図である。論理の流れは段階６０１で始まり、ここでT_ADDおよびT_COMPは一定量ずつ低減される。上記のように、T_ADDは−１９dBの最小値に達するまで１dBずつ定量的に削減され、T_COMPは０dBの最小値に達するまで１dBずつ定量的に削減される。
T_ADDおよびT_COMPを小さくすることにより、遠隔ユニット１１３が追加のPSMMをサービス提供基地局に送るという効果が現れる。詳しくは、遠隔ユニット１１３は、削減されたT_ADDより高いパイロット信号強度を有する能動でない基地局に出会うたびに、能動集合内の基地局にPSMMを送付する。能動集合内の基地局は、候補パイロットに関連するダウンリンク・トラフィック・チャネルを遠隔ユニットに割り当て、遠隔ユニット１１３に対して、候補基地局に対するハンドオフを実行して、候補基地局を能動集合に入れることを指示する。さらに、非能動集合候補基地局に関連するパイロット強度が能動集合内の基地局に関連するパイロット強度を、予め設定された閾値（T_COMP＊０．５dB）だけ超える場合は、遠隔ユニットは能動集合内の基地局にPSMMを送付する。本発明の代替の実施例においては、オーファン基地局は能動集合に入れられないが、それが遠隔ユニット１１３から受信する信号を用いて遠隔ユニット１１３の逆方向チャネル受信を改善する。
次に段階６０３においてタイマがセットされる。詳しくは、タイマは、最大時間量がPSMMを受信せずに経過するようにセットされる。段階６０５において、新しいPSMMが受信されたか否かが判断され、受信されない場合は、論理の流れは段階６０７に続く。段階６０５において、新しいPSMMが受信されたと判断されると、タイマがリセットされ（段階６０９）、論理の流れは段階６１３に続き、そこで新しい基地局の識別子がPSMMから判定される。新しい基地局（以降オーファン候補基地局と称する）は、遠隔ユニット１１３により低エネルギ・レベルで受信されるので、オーファン条件に貢献する可能性がある。次に段階６１５において、オーファン候補基地局の逆方向チャネルEb/Noが測定され、段階６１７においてオーファン候補基地局の信号強度が受信のために充分であるか否かが判断される。段階６１７において、オーファン候補基地局の逆方向チャネルが受認可能であると判断されると、オーファン候補基地局はアップリンク受信に入れられる。オーファン候補基地局が受認可能であるとされると、プロセッサ２１３は遠隔ユニット１１３の位置をオーファン履歴データ格納装置２０９に追加し、オーファン候補基地局を基地局リスト格納装置２１９に追加する。本発明の好適な実施例においては、オーファン基地局が能動リストに追加され（段階６２９）、論理の流れは段階６２１に続く。本発明の代替の実施例においては、オーファン基地局は、段階６２９において逆方向チャネル受信には入れるが、それを能動集合に昇格させることはせずに逆方向チャネル・ソフト・ハンドオフに置くだけである。オーファン候補基地局と能動基地局との間の信号の不均衡のために、オーファン候補基地局により生成される遠隔ユニット電力制御信号は、能動基地局が、それ自身が生成した電力制御ビット値の代わりに用いることもある。段階６１７において、オーファン候補基地局の逆方向チャネルが受認可能でないと判断されると、論理の流れは段階６２１に続き、そこでアップリンク・チャネルの品質が改善したか否かが判断され、改善した場合は段階６３１において遠隔ユニットが１％FERに電力制御され、論理の流れは段階３３５（第３図）に続く。段階６２１において、アップリンク・チャネルの品質が改善しなかったと判断されると、段階６２３においてT_ADDおよびT_COMPがその最小閾値以下であるか否かが判断され、以下である場合は論理の流れは段階３３５（第３図）に続く。段階６２３において、T_ADDおよびT_COMPがその最小閾値より高いと判断されると、論理の流れは段階６０１に戻り、そこでT_ADDおよびT_COMPは再び低下される。
段階６０５に戻り、PSMMが受信されなかったと判断されると、論理の流れは段階６０７に進み、そこでタイマが切れたか否かが判断される。段階６０７において、タイマが切れなかったと判断されると、論理の流れは段階６０５に戻り、そうでない場合は論理の流れは段階６２５に続く。段階６２５において、T_ADDおよびT_COMPが閾値レベル以下であるか否かが判断される。詳しくは、T_ADDまたはT_COMPがそれぞれ−１９dBおよび０dB以下であるか否かが判断される。段階625において、T_ADDまたはT_COMPが閾値レベル以下であると判断されると、
T_ADDおよびT_COMPは、段階６２７でその元の値にリセットされ、論理の流れは段階３３５（第３図）に進む。そうでない場合は、論理の流れは段階６０１に戻る。
第７図は、本発明の代替実施例による第１図のCBSC１０３の動作を示す流れ図である。この実施例では、T_ADDおよびT_COMPは調整されず、可能性のあるオーファン基地局が決定され、任意のオーファン基地局が遠隔ユニット１１３の能動リストに追加される。オーファン基地局を遠隔ユニット１１３の能動リストに追加することにより、オーファン基地局と遠隔ユニット１１３との間に通信が開設され、オーファン条件を排除する。論理の流れは段階７０１で開始され、ここで遠隔ユニット１１３が呼を発する（呼は地上回線発信源から発してもよい）。段階７０５において、MSCC２２３は、遠隔ユニット識別番号を呼出リストおよび呼出状態格納装置２０１に格納することにより、呼出リストに遠隔ユニット１１３を追加する。次に段階７１０において、遠隔ユニット１１３の状態に関する環境パラメータを収集する（第４図に関連して説明されるように）。次に段階７１５において、プロセッサ２１３は、オーファン条件が起こる可能性があるか否かを判断し（第５図に関連して説明されるように）、起こる可能性がない場合は、論理の流れは段階７２０に進む。段階７１５において、プロセッサ２１３により、オーファン条件が起こる可能性があると判断されると、段階７２５においてMSCC２２３は、オーファン・フラッグがセットされたか否かを判断する。セットされた場合は、論理の流れは段階７６０に進む。段階７２５において、オーファン・フラッグがセットされなかったと判断されると、段階７６５においてMSCC２２３がオーファン・フラッグを肯定状態にセットし、論理の流れは段階７６０に進む。段階７６０において、遠隔ユニット１１３の能動リストが調整される。本発明の代替実施例においては、これは、MSCC２２３が段階４０９（第４図）において得られた近隣基地局のリストにアクセスし、リスト内の各基地局について遠隔ユニット１１３の逆方向チャネルのその基地局における測定を実行することによりなされる。遠隔ユニット１１３について受認可能な逆方向チャネル信号を受信する基地局が能動リストに追加され、基地局リスト格納装置２１９内の能動リストに格納される。
段階７２０に戻り、オーファン・フラッグがセットされた場合は、フラッグがリセットされ、能動リストは段階７３０で一掃されて、能動リストから基地局を排除し、論理の流れは段階７３５に続く。段階７３５において、MSCC２２３は、遠隔ユニット１１３が呼を終了したか否かを判断し、終了しない場合は論理の流れは段階７１０に戻る。しかし、段階７３５において、遠隔ユニット１１３が呼を終了したと判断されると、論理の流れは段階７４０に進み、ここでMSCC２２３は呼状況記録にアクセスし、オーファン・フラッグをリセットし、能動集合を一掃する（新規に追加された基地局がある場合）。次に段階７４５において、MSCC２２３は呼出リストから遠隔ユニット１１３を削除し、論理の流れは段階７５０で終了する。
第８図は、第７図の段階７６０において上述される能動リストを調整するために必要とされる段階を示す流れ図である。論理の流れは段階８１５で始まり、ここで近隣候補基地局の逆方向チャネルEb/Noが測定され、段階８１７において近隣候補基地局の信号強度が受信に充分であるか否かが判断される。段階８１７において、近隣候補基地局の逆方向チャネルが受認可能であると判断されると、近隣候補基地局がアップリンク受信に含まれる。本発明の代替実施例においては、この逆方向チャネル・ソフト・ハンドオフは自主的なもので、段階８２９において能動リストに追加される。論理の流れは段階８２１に続く。段階８１７において、オーファン候補基地局の逆方向チャネルが受認可能でないと判断されると、論理の流れは段階８２１に進み、ここでアップリンク・チャネルの品質が改善されたか否かが判断される。改善された場合は、段階８３１において遠隔ユニットが１％FERに電力制御され、論理の流れは段階７３５（第７図）に進む。段階８２１においてアップリンク・チャネルの品質が改善されなかったと判断されると、論理の流れは段階７３５に進む。
第９図は、第７図の段階７３０，７４０に上述されたリスト一掃（能動基地局リストの削減）に必要な段階を示す流れ図である。段階９０５において、呼が終了して資源が解放されつつあるか否かの判断がなされる。呼が終了した場合は、その遠隔ユニットの能動集合が段階９１５でリセットされる。呼がまだ進行中の場合は、論理の流れは段階９１０に進み、そこでオーファン可能条件が依然として存在するか否かの判断がなされる（能動集合に追加された基地局がその呼を改善しつつある場合）。段階９１０において、オーファン条件が起こる可能性がないと判断されると、基地局は能動集合に残され、そうでない場合は、基地局が能動集合から削除され（段階９２０）、論理の流れは段階７３５に続く。
本発明は特定の実施例に関して特定的に図示および説明されたが、本発明の精神および範囲から逸脱することなく、形態および詳細において種々の変更を加えることができることは当業者には理解頂けよう。従って、これらすべての修正は、以下の請求項の範囲に入るものとする。
【図１】
0003957325.tif 000002
【図９】
0003957325.tif 000003
【図２】
0003957325.tif 000004
【図３】
0003957325.tif 000005
【図４】
0003957325.tif 000006
【図５】
0003957325.tif 000007
【図６】
0003957325.tif 000008
【図７】
0003957325.tif 000009
【図８】
0003957325.tif 000010